(57)【要約】      （修正有）【課題】屋根の上での高所作業を行う際に、安全帯等の安全装備を容易に取り付けることができる屋根用取付具を提供する。【解決手段】屋根に取付けて用いる屋根用取付具１であって、屋根材３の上面３ａに固設する基部２を有し、基部２には基部側取付部９が設けられ、この基部側取付部９には、安全帯等の安全装備を取付けるための安全装備取付部材１０と、この安全装備取付部材１０の不使用時において、基部２の外面全体を覆う保護キャップを、夫々取り外し可能に取り付けることができるようにした。【選択図】図２
0003217624.tif 000002
【実用新案登録請求の範囲】
【請求項１】
屋根に取付けて用いる屋根用取付具であって、
屋根材の上面に固設する基部を有し、該基部には基部側取付部が設けられ、
この基部側取付部には、安全帯等の安全装備を取付けるための安全装備取付部材と、この安全装備取付部材の不使用時において、前記基部の外面全体を覆う保護キャップを、夫々取り外し可能に取り付けることができるようにしたことを特徴とする屋根用取付具。
【考案の詳細な説明】
【技術分野】
【０００１】
本考案は、屋根用取付具に関するものである。
【背景技術】
【０００２】
屋根の上面に取付けられた太陽光パネルの保守点検等をするために、作業者が、屋根の上で作業を行う場合がある。
【０００３】
従来、屋根の上で作業を行う際において、作業者の転落等を防止し、安全を確保するための安全帯等の安全装備を固定するために、足場を組み、その足場に安全装備を取付けるていた。
【考案の概要】
【考案が解決しようとする課題】
【０００４】
上記従来術のように、安全装備を取付けるための足場を設置すると、足場を組み立てる手間と費用が余分にかかるという問題がある。
【０００５】
そこで、本考案は、上記の問題点を解決した屋根用取付具を提案することを目的とするものである。
【課題を解決するための手段】
【０００６】
前記の課題を解決するために、請求項１記載の考案は、屋根に取付けて用いる屋根用取付具であって、
屋根材の上面に固設する基部を有し、該基部には基部側取付部が設けられ、
この基部側取付部には、安全帯等の安全装備を取付けるための安全装備取付部材と、この安全装備取付部材の不使用時において、前記基部の外面全体を覆う保護キャップを、夫々取り外し可能に取り付けることができるようにしたことを特徴とするものである。
【考案の効果】
【０００７】
本考案は、屋根材の上面に固設する基部を有し、該基部には基部側取付部が設けられ、この基部側取付部には、安全帯等の安全装備を取付けるための安全装備取付部材と、この安全装備取付部材の不使用時において、前記基部の外面全体を覆う保護キャップを、夫々取り外し可能に取り付けることができるようにしたことにより、基部に安全装備取付部材を取付け、この安全装備取付部材に安全装備を取付けることで、作業者の安全を確保できるとともに、安全装備取付部材が不要な際には、安全装備取付部材の替りに保護キャップを基部に取付けることにより、屋根に残存する基部を、保護キャップで覆い目立たなくすることができ、屋根の美観が損なうことを低減できる。
【図面の簡単な説明】
【０００８】
【図１】本考案の実施例に係る屋根用取付具において、基部に安全装備取付部材を取付た状態の上面図。
【図２】図１のＡ-Ａ線部分断面図。
【図３】図１の屋根用取付具の使用状態を示す斜視図。
【図４】本考案の実施例に用いる基部の縦断面図。
【図５】本考案の実施例に係る屋根用取付具において、基部に保護キャップを取付た状態の上面図。
【図６】図５のＢ−Ｂ線部分断面図。
【図７】本考案の実施例に用いる保護キャップの縦断面図。
【考案を実施するための形態】
【０００９】
本考案を実施するための形態を図に基づいて説明する。
【００１０】
図１は、本考案の屋根用取付具１において、基部２に安全装備取付部材１０を取付た状態の上面図、図２はそのＡ-Ａ線部分断面図、図３は図１の屋根用取付具１の使用状態を示す斜視図である。
【００１１】
屋根用取付具１は、図１，図２に示すように、円盤状の基部２を有する。
【００１２】
基部２は、屋根材３の上面３ａに対して任意の固定方法で固設する。この屋根材３としては、屋根に付設される部材であれば任意の部材を用いることができ、例えば、屋根瓦、スレート瓦、トタン屋根など任意の部材を用いることができる。本実施例では、屋根瓦としてスレート瓦を用いるとともに、基部２に表裏（上下）を貫通するように取付け穴２ａを形成し、この取付け穴２ａに、垂木７にまで達することができる長さのネジ（ボルト）４を上側から螺挿し、基部２をスレート瓦３、ルーフィング５、野地板６，垂木７に対して固定した。
【００１３】
基部２の上面は、ゴム等からなる防水材８ａにより覆われている。また、基部２と屋根材３との間には、ゴム等からなる防水材８ｂが介在され、本実施例においては、防水材８ｂとして、未加硫のブチルゴムを主体としたブチルシールを用いた。
【００１４】
基部２の中央部には、図４に示すように、上面が開口する有底状の基部側取付部９が設けられ、基部側取付部９の内周面には雌ネジ９ａが刻設されている。
【００１５】
基部２の基部側取付部９には、図３に示すような、安全帯や親綱等の、作業者が高所作業において、その安全保護のために用いられる安全装備１５を取り外し可能に取付けることができる安全装備取付部材１０を着脱可能に取り付けることができるようになっている。
【００１６】
この安全装備取付部材１０は、安全装備１５を取り外し可能に取付けることができれば、任意の部材を用いることができるが、本実施例ではアイボルト１０を用い、その雄ネジ１０ａを基部側取付部９の雌ネジ９ａに螺合することにより、基部側取付部９に取り外し可能に取り付けでるようにした。また、図３に示すように、このアイボルト１０の環状部１０ｂには、安全装備１５におけるフック１５ａ等を取り外し可能に取り付けることができるようになっている。
【００１７】
また、基部２の基部側取付部９には、図５〜図７に示すように、安全装備取付部材１０を取外した状態で、保護キャップ１１を着脱可能に取り付けることができるようになっている。
【００１８】
この保護キャップ１１は、図５〜図７に示すように、基部２の外径より大きな内径を有する円筒状の筒部１１ａを有し、この軸方向の一端部は覆部１１ｂで覆われ、他端部は開口している。基部２の取付部９に保護キャップ１１を取付けた際には、保護キャップ１１により基部２の外面全体を覆うことができるように形成されている。
【００１９】
覆部１１ｂの内面における中央部には、図７に示すように、内側方向に突出するとともに、基部２の取付部９に対して、取外し可能に取り付けることができる保護側取付部１２が設けられている。本実施例においては保護側取付部１２の外周面に、基部側取付部９の雌ネジ９ａと螺合する雄ネジ１２ａを刻設した。
【００２０】
保護キャップ１１は、任意の材質で構成することができるが、本実施例では樹脂で、筒部１１ａ，覆部１１ｂ，保護側取付部１２を一体に形成した。また、保護キャップ１１の外面は、屋根材３に対して目立たない色で着色することが好ましい。
【００２１】
屋根材に対して、基部２を取付ける場所と設置する数は任意に設定することができる。
【００２２】
本考案の屋根用取付具１は、基部２の基部側取付部９に安全装備取付部材１０を取付けた際には、図３に示すように、この安全装備取付部材１０に、安全装備１５におけるフック１５ａ等を取り外し可能に、容易に取付けることができ、屋根の上で作業をする作業者の安全を確保することができる。
【００２３】
また、屋根の上で作業をしない場合には、安全装備取付部材１０を取外した後に、保護キヤップ１１を取付けることにより、保護キヤップ１１により基部２の外面全体を覆い、保護キャップ１１により、目立たず、屋根の美観を損なわないようにすることができる。
【符号の説明】
【００２４】
１  屋根用取付具
２  基部
３  屋根材
９  基部側取付部
１０  安全装備取付部材
１１  保護キャップ
【図１】
0003217624.tif 000003
【図２】
0003217624.tif 000004
【図３】
0003217624.tif 000005
【図４】
0003217624.tif 000006
【図５】
0003217624.tif 000007
【図６】
0003217624.tif 000008
【図７】
0003217624.tif 000009
【手続補正書】
【提出日】平成30年6月25日(2018.6.25)
【手続補正１】
【補正対象書類名】実用新案登録請求の範囲
【補正対象項目名】全文
【補正方法】変更
【補正の内容】
【実用新案登録請求の範囲】
【請求項１】
屋根に取付けて用いる屋根用取付具であって、  屋根材の上面に固設する基部を有し、該基部には基部側取付部が設けられ、  この基部側取付部には、前記基部の上方に位置するように安全帯等の安全装備を取付けることができる安全装備取付部材と、この安全装備取付部材の不使用時において、前記基部の外面全体を覆う保護キャップを、夫々取り外し可能に取り付けることができるようにしたことを特徴とする屋根用取付具。
【手続補正２】
【補正対象書類名】明細書
【補正対象項目名】０００６
【補正方法】変更
【補正の内容】
【０００６】  前記の課題を解決するために、請求項１記載の考案は、屋根に取付けて用いる屋根用取付具であって、  屋根材の上面に固設する基部を有し、該基部には基部側取付部が設けられ、  この基部側取付部には、前記基部の上方に位置するように安全帯等の安全装備を取付けることができる安全装備取付部材と、この安全装備取付部材の不使用時において、前記基部の外面全体を覆う保護キャップを、夫々取り外し可能に取り付けることができるようにしたことを特徴とするものである。